【手続補正書】
【提出日】平成23年1月25日(2011.1.25)
【手続補正１】
【補正対象書類名】明細書
【補正対象項目名】０００２
【補正方法】変更
【補正の内容】
【０００２】
携帯電話機には、図２６及び図２７に示すように、２つの筐体部分からなる折りたたみ型の筐体を備えて構成されたものがある。図２６（ａ）及び図２６（ｂ）は、従来例の２つ折り型携帯電話機の開状態と閉状態を示す図であり、この携帯電話機では、スピーカ及びディスプレイ等を備えた上部筐体１０１と、マイクロホン及びキーボード等を備えた下部筐体１０２とが、ヒンジ部１０３によって折りたたみ可能であるように連結されている。また、上部筐体１０１には液晶ディスプレイや有機ＥＬディスプレイからなる第１の表示装置１０４と第２の表示装置１０５が設けられている。第１の表示装置１０４は、携帯電話機の開状態のとき、下部筐体１０２に設けられた情報入力端末からの入力情報や、受信情報等の表示を行う。また、第２の表示装置１０５は、携帯電話機の閉状態のとき、受信情報の表示や時刻等の表示を行う。図２７（ａ）及び図２７（ｂ）は、従来例の回転型携帯電話機の開状態と閉状態を示す図であり、この携帯電話機では、スピーカ及びディスプレイ等を備えた上部筐体１１１と、マイクロホン及びキーボード等を備えた下部筐体１１２とが、上部筐体１１１及び下部筐体１１２を厚さ方向に貫通する回転軸１１３（又は同等の連結機構）によって連結され、上部筐体１１１が回転軸１１３を中心として回転することにより携帯電話機が開閉される。また、上部筐体１１１には液晶ディスプレイや有機ＥＬディスプレイからなる表示装置１１４が設けられている。表示装置１１４は、携帯電話機の開状態及び閉状態において、下部筐体１１２に設けられた情報入力端末からの入力情報や、受信情報及び時刻等の表示を行う。
【手続補正２】
【補正対象書類名】明細書
【補正対象項目名】０００６
【補正方法】変更
【補正の内容】
【０００６】
近年、携帯電話機の小型化や、折りたたみ型筐体の採用に伴い、携帯電話機内にアンテナ素子を搭載するための容積を確保することが困難になってきた。特に、折りたたみ型携帯電話機の場合、アンテナの電気長を最大化するため、特許文献１及び２に記載のように、第１の筐体部分と第２の筐体部分にアンテナ素子と接地導体を分離して設け、アンテナ素子と接地導体が互いに近接する位置（すなわち第１の筐体部分と第２の筐体部分の連結部分の近傍）に給電点を設けることにより、アンテナ素子及び接地導体からなるダイポールアンテナを構成することが一般的である。このような携帯電話機は、携帯電話機の筐体が開状態にあるときには、所望の通りダイポールアンテナとして動作するが、携帯電話機の筐体が閉状態にあるときは、第１の筐体部分内のアンテナ素子と第２の筐体部分内の接地導体が対向する構成となるので、アンテナ素子に流れる電流と接地導体に流れる電流が相互に相殺し、ダイポールアンテナとして動作できなくなる。従って、従来の携帯電話機において閉状態のときに通信を行うためには、閉状態のときに使用するための専用のアンテナ素子を別個に追加することが必要であった。そのため、携帯電話機の筐体が開状態及び閉状態のいずれであっても送受信可能である新規なアンテナ装置を備えた携帯電話機が必要とされる。
【手続補正３】
【補正対象書類名】明細書
【補正対象項目名】００１２
【補正方法】変更
【補正の内容】
【００１２】
アンテナ素子の全長に渡ってスリットを形成するとアンテナ面積が小さくなり、それに伴ってアンテナ素子を流れる電流の電気長が短くなる。そのため、共振周波数が高周波側にシフトし、所望の周波数特性が得られなくなる。本態様によると、前記第１の筺体と前記第２の筺体とが開状態の場合、前記非励振スリットの前記連結部から離間した側の第１端部で前記第１及び前記第２のアンテナ素子を接続することにより、第１のアンテナ素子と第２のアンテナ素子とを流れる電流の電気長が大きくなるので、第１のアンテナ素子及び第２のアンテナ素子の双方に生ずる共振周波数を低周波側にシフトさせて、周波数帯域を広げることができる。また、本態様によると、前記第１の筺体と前記第２の筺体とが閉状態の場合、前記非励振スリットの前記連結部に近接した側の第２端部で前記第１及び第２のアンテナ素子を接続することにより、前記第１及び第２のアンテナ素子を流れる電流の電気長が長くなるので、前記第１及び第２のアンテナ素子の双方に生ずる共振周波数を低周波側にシフトさせて、周波数帯域を広げることができる。
【手続補正４】
【補正対象書類名】明細書
【補正対象項目名】００３１
【補正方法】変更
【補正の内容】
【００３１】
図２（ａ）は、図１のアンテナ装置を備えた実装例の携帯電話機の開状態を透視により示す概略図であり、図２（ｂ）はその閉状態を示す概略図である。また、図３（ａ）は、図２（ａ）に示す開状態の携帯電話機の縦断面図であり、図３（ｂ）は図２（ｂ）に示す閉状態の携帯電話機の縦断面図である。図３の縦断面図では、図１に示した構成要素の一部のみを概略的に示す。図２及び図３の携帯電話機の筐体は、図２６を参照して説明した従来技術の携帯電話機と同様に構成される。アンテナ素子１，２は、それらの間の非励振スリットＳが携帯電話機の長手方向に平行になるように上部筐体１０１内に設けられ、すなわち、非励振スリットＳは、上部筐体１０１内において、ヒンジ部１０３と、ヒンジ部１０３から遠隔した位置（図２（ａ）では上端の部分）との間に延在するように設けられる。また、接地導体３は下部筐体１０２内に設けられる。上部筐体１０１と下部筐体１０２とは、ヒンジ部１０３によって折りたたみ可能であるように連結されている。この携帯電話機の開閉に従って、アンテナ素子１，２及び接地導体３は、ヒンジ部において折りたたまれて閉状態にされる。
【手続補正５】
【補正対象書類名】明細書
【補正対象項目名】００３５
【補正方法】変更
【補正の内容】
【００３５】
図６（ａ）は、図１のアンテナ装置が開状態にあり、スイッチＳＷ３，ＳＷ４が開いているときの電流経路を示す概略図であり、図６（ｂ）は、スイッチＳＷ３を閉じたときの電流経路を示す概略図である。説明のために、図６（ａ）ではスイッチＳＷ１，ＳＷ２，ＳＷ３，ＳＷ４及び短絡導体４ａ，４ｂ，５ａ，５ｂの図示を省略し、図６（ｂ）ではスイッチＳＷ１，ＳＷ２，ＳＷ４及び短絡導体４ａ，４ｂ，５ａ，５ｂの図示を省略する。図６（ａ）に示すようにスイッチＳＷ３，ＳＷ４が開いているとき、給電線Ｆ１を介して給電点Ｐ１に到来した高周波電流は、アンテナ素子１において給電点Ｐ１から最も遠隔した地点に向かって流れ、すなわち本実施形態では、非励振スリットＳに近接し、かつ接地導体３から遠隔した側の端部の地点Ａ１に向かって流れる（電流ｉ１）。ここで、スイッチＳＷ３を閉じると、電流は、給電点Ｐ１からスイッチＳＷ３に向かって流れ（電流ｉ１１）、スイッチＳＷ３を、アンテナ素子１側の地点Ａ１からアンテナ素子２側の地点Ａ２に通過し（電流ｉ１２）、次いで、アンテナ素子２においてスイッチＳＷ３から最も遠隔した地点Ａ３に向かって流れる（電流ｉ１３）。このように、スイッチＳＷ３を閉じることにより、スイッチＳＷ３を介してアンテナ素子１からアンテナ素子２に至る電流経路が形成される。同様に、給電線Ｆ２を介して給電点Ｐ２に高周波電流を給電する場合においても、スイッチＳＷ３を介してアンテナ素子２からアンテナ素子１に至る電流経路が形成される。
【手続補正６】
【補正対象書類名】明細書
【補正対象項目名】００４４
【補正方法】変更
【補正の内容】
【００４４】
また、アンテナ装置が閉状態にあるときには、アンテナ素子１，２と接地導体３とは短絡導体４ａ，４ｂ，５ａ，５ｂによって電気的に接続されているので、アンテナ装置の構成によっては（例えば、短絡導体４ａ，５ａが非励振スリットＳの端部に近接しているとき）、スイッチＳＷ３，ＳＷ４を閉じることなく片端開放の非励振スリットを構成できる場合もある。さらに、アンテナ装置が閉状態にあるとき、スイッチＳＷ３，ＳＷ４の両方を閉じることにより、スロットを構成してもよい。この場合、スロットの共振周波数はアンテナ素子１，２の共振周波数よりも高くなるので、アンテナ装置の動作周波数を高域側にシフトすることができる。また、アンテナ装置が閉状態にあるときには、アンテナ素子１，２と接地導体３とは短絡導体４ａ，４ｂ，５ａ，５ｂによって電気的に接続されているので、アンテナ装置の構成によっては、スイッチＳＷ４を閉じることなくスイッチＳＷ３のみを閉じることによってスロットを構成できる場合もある。
【手続補正７】
【補正対象書類名】明細書
【補正対象項目名】００５３
【補正方法】変更
【補正の内容】
【００５３】
以上説明した本実施形態の第１の変形例に対するさらなる変形例として、各可変容量ダイオードＤ１，Ｄ２を非励振スリットＳにおいてスイッチＳＷ３，ＳＷ４にそれぞれ近接させ、かつ非励振スリットＳにおいてスイッチＳＷ３，ＳＷ４よりも外側に位置するように設けることに限定せず、各可変容量ダイオードＤ１，Ｄ２は、非励振スリットＳに沿った他の好ましい位置に配置されてもよい。例えば、アンテナ装置の開状態又は閉状態に応じて、電界強度が大きくなる非励振スリットＳ上の最適位置に可変容量ダイオードＤ１，Ｄ２を配置することができるので、小さな容量値で非励振スリットＳの共振周波数を調整することができ、従って、使用する可変容量ダイオードＤ１，Ｄ２を小型化できる。
【手続補正８】
【補正対象書類名】明細書
【補正対象項目名】００６３
【補正方法】変更
【補正の内容】
【００６３】
図２２（ａ）は、図２１（ａ）に示す開状態の携帯電話機を下端から見たときの構成を透視により示す概略図であり、図２２（ｂ）は、図２１（ｂ）に示す閉状態の携帯電話機を下端から見たときの構成を透視により示す概略図である。スイッチＳＷ５は、端子部Ｅ１，Ｅ２，Ｅ３，Ｅ４を備え、端子部Ｅ１，Ｅ２，Ｅ３，Ｅ４は、アンテナ装置が開状態（図２２（ａ））と閉状態（図２２（ｂ））にあるとき、それぞれ以下のように作用する。端子部Ｅ１は、開状態のときに給電線Ｆ３を給電線Ｆ１に接続し、閉状態において給電線Ｆ４を給電線Ｆ１に接続する。端子部Ｅ２は、開状態のときに短絡導体４ａ，４ｂを互いに電気的に接続しないように対向させ、閉状態において短絡導体５ａを短絡導体４ｂに接続する。端子部Ｅ３は、開状態のときに短絡導体５ａ，５ｂを互いに電気的に接続しないように対向させ、閉状態において短絡導体４ａを短絡導体５ｂに接続する。端子部Ｅ４は、開状態のときに給電線Ｆ４を給電線Ｆ２に接続し、閉状態において給電線Ｆ３を給電線Ｆ２に接続する。